【手続補正書】
【提出日】平成17年1月4日(2005.1.4)
【手続補正１】
【補正対象書類名】明細書
【補正対象項目名】特許請求の範囲
【補正方法】変更
【補正の内容】
【特許請求の範囲】
【請求項１】
電力制御用の第１半導体素子及び第２半導体素子を有するパワーモジュール部と、前記第１半導体素子及び前記第２半導体素子の動作を制御する制御部とを備えた電力変換装置であって、
前記パワーモジュール部は、前記第１半導体素子が実装された第１実装基板、第２半導体素子が実装された第２実装基板、前記第１半導体素子及び前記第２半導体素子と電気的に接続された出力端子、前記第１半導体素子及び前記第２半導体素子と電気的に接続されると共に、正極側導体と負極側導体が電気的に絶縁されて積層された入力端子、前記第１実装基板、前記第２実装基板、及び、前記出力端子と前記入力端子のそれぞれの少なくとも一部分を収納する容器を有し、
前記第１実装基板、前記第２実装基板、前記出力端子、及び、前記入力端子は、前記出力端子及び前記入力端子のそれぞれの導体面上における異なる２方向において、前記第１実装基板及び前記第２実装基板のそれぞれと前記出力端子及び前記入力端子のそれぞれが対向するように前記容器内に設けられていることを特徴とする電力変換装置。
【請求項２】
電力制御用の２つの半導体素子を有するパワーモジュール部と、前記２つの半導体素子の動作を制御する制御部とを備えた電力変換装置であって、
前記パワーモジュール部は、前記２つの半導体素子の一方が実装された第１実装基板、前記２つの半導体素子の他方が実装された第２実装基板、前記２つの半導体素子と電気的に接続された出力端子、前記２つの半導体素子と電気的に接続されると共に、正極側導体と負極側導体が電気的に絶縁されて積層された入力端子、前記第１実装基板、前記第２実装基板、及び、前記出力端子と前記入力端子のそれぞれの少なくとも一部分を収納する容器を有し、
前記出力端子は、前記容器の対向する側面の一方側から、前記入力端子は、前記容器の対向する側面の他方側からそれぞれ前記容器内に延伸して前記容器内に対角状に設けられ、
前記第１実装基板は、前記入力端子と対向して前記容器内に配置され、
前記第２実装基板は、前記出力端子と対向して前記容器内に配置されていることを特徴とする電力変換装置。
【請求項３】
請求項１記載の電力変換装置において、
前記第１実装基板、前記第２実装基板、前記出力端子、及び、前記入力端子は、電気的に絶縁されて前記容器内の伝導性部材上に配設され、
前記第１半導体素子及び前記第２半導体素子のそれぞれと前記出力端子及び前記入力端子のそれぞれとの間は、前記第１実装基板及び前記第２実装基板のそれぞれと前記出力端子及び前記入力端子のそれぞれの対向方向に電気的に接続されていることを特徴とする電力変換装置。
【請求項４】
請求項２記載の電力変換装置において、
前記出力端子及び前記入力端子は、電気的に絶縁されて前記容器内の伝導性部材の上に対角状に設けられ、
前記第１実装基板は、前記入力端子の前記容器内延伸方向側及び前記出力端子のそれぞれと対向するように、電気的に絶縁されて前記伝導性部材上に設けられ、
前記第２実装基板は、前記出力端子の前記容器内延伸方向側及び前記入力端子のそれぞれと対向するように、電気的に絶縁されて前記伝導性部材上に設けられていることを特徴とする電力変換装置。
【請求項５】
電力制御用の複数の半導体素子を有するパワーモジュール部と、前記複数の半導体素子の動作を制御する制御部とを備えた電力変換装置であって、
前記パワーモジュール部は、前記複数の半導体素子が実装された複数の実装基板と、前記複数の半導体素子と電気的に接続された複数の出力端子と、前記複数の半導体素子と電気的に接続されると共に、正極側導体と負極側導体が電気的に絶縁されて積層された複数の入力端子と、前記複数の実装基板、前記複数の出力端子の少なくとも一部及び前記複数の入力端子の少なくとも一部を収納する容器とを有し、
前記複数の実装基板と前記出力端子は第１の列構成をなすように交互に、前記複数の基板と前記入力端子は第２の列構成をなすように交互にそれぞれ前記容器内に配設され、かつ前記第１の列構成と前記第２の列構成は、互いの基板が対角状に配設されるように対向配置されていることを特徴とする電力変換装置。
【請求項６】
電力制御用の複数の半導体素子を有するパワーモジュール部と、前記複数の半導体素子の動作を制御する制御部とを備えた電力変換装置であって、
前記パワーモジュール部は、前記複数の半導体素子が実装された複数の実装基板と、前記複数の半導体素子と電気的に接続された複数の出力端子と、前記複数の半導体素子と電気的に接続されると共に、正極側導体と負極側導体が電気的に絶縁されて積層された複数の入力端子と、前記複数の実装基板、前記複数の出力端子の少なくとも一部及び前記複数の入力端子の少なくとも一部を収納する容器とを有し、
前記複数の実装基板、前記複数の出力端子、及び、前記複数の入力端子は、前記複数の実装基板の一部と前記出力端子が対向して配置され、前記実装基板の他の一部と前記入力端子が対向して配置され、
前記複数の実装基板の一部と前記複数の入力端子の位置は互い違いになるように前記容器内に配列され、
前記複数の実装基板の他の一部と前記複数の出力端子の位置は互い違いになるように前記容器内に配列されていることを特徴とする電力変換装置。
【請求項７】
電力制御用の複数の半導体素子を有するパワーモジュール部と、前記複数の半導体素子の動作を制御する制御部とを備えた電力変換装置であって、
前記パワーモジュール部は、前記複数の半導体素子が実装された複数の実装基板と、前記複数の半導体素子と電気的に接続された複数の出力端子と、前記複数の半導体素子と電気的に接続されると共に、正極側導体と負極側導体が電気的に絶縁されて積層された複数の入力端子と、前記複数の実装基板、前記複数の出力端子の少なくとも一部及び前記複数の入力端子の少なくとも一部を収納する容器とを有し、
前記複数の出力端子は、前記容器の対向する側面の一方側から、前記複数の入力端子は、前記容器の対向する側面の他方側からそれぞれ前記容器内に延伸して前記容器内に千鳥状に配設され、
前記複数の実装基板のそれぞれは、実装された前記半導体素子と電気的に接続される前記出力端子及び前記入力端子のそれぞれと対向するように前記容器内に配置されていることを特徴とする電力変換装置。
【請求項８】
請求項５記載の電力変換装置において、
前記複数の基板と前記出力端子は、それぞれ電気的に絶縁されて前記容器内の熱伝導性部材上に配置され、
前記複数の実装基板に実装された前記複数の半導体素子、前記複数の出力端子及び前記複数の入力端子は、対角状に配設された２つの実装基板に実装された半導体素子と、対角状に配設された２つの実装基板のそれぞれと対向する前記出力端子及び前記入力端子を組として、各組毎に、対角状に配設された２つの実装基板のそれぞれと前記出力端子及び前記入力端子のそれぞれの対向方向に電気的に接続されていることを特徴とする電力変換装置。
【請求項９】
請求項６記載の電力変換装置において、
前記複数の基板，前記複数の出力端子及び前記複数の入力端子は、電気的に絶縁されて前記容器内の伝導性部材上に配列され、
前記複数の実装基板に実装された前記半導体素子、前記複数の出力端子及び前記複数の入力端子は、前記配列方向に隣り合う２つの実装基板に実装された半導体素子、出力端子及び入力端子を組として、前記配列方向及び前記対向方向に電気的に接続されていることを特徴とする電力変換装置。
【請求項１０】
請求項７記載の電力変換装置において、
前記複数の出力端子、及び、前記複数の入力端子は、電気的に絶縁されて前記容器内の伝導性部材上に千鳥状に配設され、
前記複数の実装基板のうち、前記入力端子の上層に位置する導体及び前記出力端子と電気的に接続される半導体素子を実装した第１実装基板は、対応する出力端子の前記容器内延伸方向側及び対応する入力端子のそれぞれと対向するように、電気的に絶縁されて前記伝導性部材上に設けられ、
前記入力端子の下層に位置する導体及び前記出力端子と電気的に接続される半導体素子を実装した第２実装基板は、対応する出力端子及び対応する入力端子の前記容器内延伸方向側のそれぞれと対向するように、電気的に絶縁されて前記伝導性部材上に設けられていることを特徴とする電力変換装置。
【請求項１１】
請求項１乃至１０のいずれかに記載された電力変換装置において、
前記入力端子は、下層側に位置する導体が上層側に位置する導体よりも前記容器内に延伸していることを特徴とする電力変換装置。
【請求項１２】
請求項１１に記載された電力変換装置において、
前記下層側に位置する導体は前記負極側導体であり、前記上層側に位置する導体は前記正極側導体であることを特徴とする電力変換装置。
【請求項１３】
車体と、
前記車体に回転可能に取け付けられた前後輪と、
前記前後輪のいずれか一方を駆動する電動機と、
前記電動機に供給される駆動電力を蓄える蓄電装置と、
前記蓄電装置から前記電動機に供給される直流電力を交流電力に変換する電力変換装置と、
請求項１乃至１２のいずれかに記載された電力変換装置とを有することを特徴とする移動体。
【請求項１４】
車体と、
前記車体に回転可能に取り付けられた前後輪と、
前記前後輪のいずれか一方を駆動する内燃機関と、
前記内燃機関に代わって前後輪のいずれか一方を駆動する電動機と、
前記電動機に供給される駆動電力を蓄える蓄電装置と、
前記蓄電装置から前記電動機に供給される直流電力を交流電力に変換する電力変換装置と、
請求項１乃至１２のいずれかに記載された電力変換装置とを有することを特徴とする移動体。
【請求項１５】
車体と、
前記車体に回転可能に取り付けられた前後輪と、
前記前後輪の一方を駆動する内燃機関と、
前記前後輪の他方を駆動する電動機と、
前記電動機に供給される駆動電力を蓄える蓄電装置と、
前記蓄電装置から前記電動機に供給される直流電力を交流電力に変換する電力変換装置と、
請求項１乃至１２のいずれかに記載された電力変換装置とを有することを特徴とする移動体。